(57)【要約】 【課題】ＷＯＬが設定された状態で外部電源が遮断されてもＷＯＬによる電源ＯＮが可能な状態に戻すことが可能な情報処理装置および情報処理方法を提供する。【解決手段】本発明の情報処理装置は、ＷＯＬ設定可否情報設定部と状態制御部とＷＯＬ設定制御部とＷＯＬ設定有効情報記憶制御部とを備える。ＷＯＬ設定可否情報設定部は、ＷＯＬ設定可否情報を設定する。状態制御部は、シャットダウン開始要求を受け付け、かつ、ＷＯＬ設定可否情報がＷＯＬを設定することを示す場合、ＷＯＬ待機状態に移行させる制御を行う。ＷＯＬ設定制御部は、ＷＯＬ待機状態に移行する前に、ＷＯＬを設定する制御を行う。ＷＯＬ設定有効情報記憶制御部は、ＷＯＬ待機状態に移行した場合、ＷＯＬを設定していたことを示すＷＯＬ設定有効情報を、不揮発性メモリに記憶させる制御を行う。【選択図】図７
2016122436.tif 000002
【特許請求の範囲】
【請求項１】
情報処理を行う情報処理部と、外部電源に接続されて電力制御を行う電力制御部と、を少なくとも備える情報処理装置であって、
サーバからの特定のパケットを受信したことを契機として、少なくとも前記情報処理部に対する電力供給を開始させる機能を示すＷＯＬを設定するか否かを示すＷＯＬ設定可否情報を設定するＷＯＬ設定可否情報設定部と、
少なくとも前記電力制御部に対する電力供給を継続しつつ、少なくとも前記情報処理部に対する電力供給を停止することを要求するシャットダウン開始要求を受け付け、かつ、前記ＷＯＬ設定可否情報が前記ＷＯＬを設定することを示す場合、少なくとも前記情報処理部に対する電力供給を停止し、かつ、前記特定のパケットを受信するための受信部および前記電力制御部の各々に対する電力供給を継続する状態を示すＷＯＬ待機状態に移行させる制御を行う状態制御部と、
前記ＷＯＬ待機状態に移行する前に、前記ＷＯＬを設定する制御を行うＷＯＬ設定制御部と、
前記ＷＯＬ待機状態に移行した場合、前記ＷＯＬを設定していたことを示すＷＯＬ設定有効情報を、不揮発性メモリに記憶させる制御を行うＷＯＬ設定有効情報記憶制御部と、を備える、
情報処理装置。
【請求項２】
前記電力制御部に対する前記外部電源からの電力供給が開始され、かつ、前記不揮発性メモリに前記ＷＯＬ設定有効情報が記憶されていた場合、
前記電力制御部は、少なくとも前記情報処理部に対する電力供給を開始し、
前記ＷＯＬ設定制御部は、前記ＷＯＬを設定する制御を行う、
請求項１に記載の情報処理装置。
【請求項３】
前記ＷＯＬ設定制御部により前記ＷＯＬを設定する制御が行われた後、前記状態制御部は、前記情報処理装置の状態を前記ＷＯＬ待機状態に移行させる制御を行う、
請求項２に記載の情報処理装置。
【請求項４】
前記ＷＯＬ設定制御部は、前記情報処理装置に対して一意に割り当てられる物理アドレスを示すＭＡＣアドレスを、前記受信部に対して設定する制御を少なくとも行う、
請求項２または３に記載の情報処理装置。
【請求項５】
前記特定のパケットは、前記情報処理装置に対して一意に割り当てられる物理アドレスを示すＭＡＣアドレスを少なくとも含む、
請求項４に記載の情報処理装置。
【請求項６】
前記ＷＯＬ設定制御部により前記ＷＯＬを設定する制御が行われる場合、前記ＷＯＬを設定中である旨を表示部に表示する制御を行う表示制御部をさらに備える、
請求項２乃至５のうちの何れか１項に記載の情報処理装置。
【請求項７】
前記電力制御部は、前記外部電源からの電力供給が開始され、かつ、前記不揮発性メモリに前記ＷＯＬ設定有効情報が記憶されていた場合、前記情報処理部の情報処理結果を表示する表示部に対する電力供給を行わない、
請求項２に記載の情報処理装置。
【請求項８】
前記情報処理を拡張して行う拡張処理部をさらに備え、
前記電力制御部は、前記外部電源からの電力供給が開始され、かつ、前記不揮発性メモリに前記ＷＯＬ設定有効情報が記憶されていた場合、前記拡張処理部に対する電力供給を行わない、
請求項２または７に記載の情報処理装置。
【請求項９】
前記表示制御部は、電力供給を開始する契機となる信号が発生せずに前記外部電源からの電力供給が開始され、かつ、前記ＷＯＬ設定有効情報が設定されていない場合、シャットダウンする旨を前記表示部に表示する制御を行う、
請求項６に記載の情報処理装置。
【請求項１０】
電力供給を開始する契機となる信号が発生せずに前記外部電源からの電力供給が開始され、かつ、前記ＷＯＬ設定有効情報が設定されていない場合、異常起動であることを示す異常起動情報が設定済みであるか否かを確認し、前記異常起動情報が設定済みではない場合は、前記異常起動情報を設定する制御を行う異常起動情報設定部をさらに備える、
請求項９に記載の情報処理装置。
【請求項１１】
前記異常起動情報設定部が前記異常起動情報を設定する制御を行った場合、前記表示制御部は、シャットダウンする旨を前記表示部に表示する制御を行う、
請求項１０に記載の情報処理装置。
【請求項１２】
前記異常起動情報設定部が前記異常起動情報を設定する制御を行わず、かつ、既に前記異常起動情報が設定済みの場合、前記表示制御部は、異常状態である旨を前記表示部に表示する制御を行う、
請求項１０または請求項１１に記載の情報処理装置。
【請求項１３】
ユーザの操作に応じて、シャットダウン後も前記ＷＯＬ設定有効情報を維持することを示すＷＯＬ自動再設定情報を設定するＷＯＬ自動再設定情報設定部をさらに備え、
前記状態制御部は、前記シャットダウン要求を受け付けた際に、前記ＷＯＬ自動再設定情報が設定されていない場合は、前記ＷＯＬ設定有効情報を前記不揮発性メモリに記憶させない制御を行う、
請求項１乃至１２のうちの何れか１項に記載の情報処理装置。
【請求項１４】
前記電力制御部は、前記ＷＯＬ待機状態において、外部電源からの電力供給を開始するトリガーとして用いられる電源ボタンの押下時間が閾値以上の場合は、前記ＷＯＬ設定有効情報を前記不揮発性メモリから消去する制御を行う、
請求項１乃至１３のうちの何れか１項に記載の情報処理装置。
【請求項１５】
情報処理を行う情報処理部と、外部電源に接続されて電力制御を行う電力制御部と、を少なくとも備える情報処理装置が実行する情報処理方法であって、
サーバからの特定のパケットを受信したことを契機として、少なくとも前記情報処理部に対する電力供給を開始させる機能を示すＷＯＬを設定するか否かを示すＷＯＬ設定可否情報を設定するＷＯＬ設定可否情報設定ステップと、
少なくとも前記電力制御部に対する電力供給を継続しつつ、少なくとも前記情報処理部に対する電力供給を停止することを要求するシャットダウン開始要求を受け付け、かつ、前記ＷＯＬ設定可否情報が前記ＷＯＬを設定することを示す場合、少なくとも前記情報処理部に対する電力供給を停止し、かつ、前記特定のパケットを受信するための受信部および前記電力制御部の各々に対する電力供給を継続する状態を示すＷＯＬ待機状態に移行させる制御を行う状態制御ステップと、
前記ＷＯＬ待機状態に移行する前に、前記ＷＯＬを設定する制御を行うＷＯＬ設定制御ステップと、
前記ＷＯＬ待機状態に移行した場合、前記ＷＯＬの設定が有効であることを示すＷＯＬ設定有効情報を、前記電力制御部が有する不揮発性メモリに記憶させる制御を行うＷＯＬ設定有効情報記憶制御ステップと、を含む、
情報処理方法。
【発明の詳細な説明】
【技術分野】
【０００１】
本発明は、情報処理装置および情報処理方法に関する。
【背景技術】
【０００２】
従来、サーバからのリモート制御でＰＣなどの情報処理装置を電源ＯＮさせるＷａｋｅ＿ｏｎ＿ＬＡＮ（以下、「ＷＯＬ」と称する）と呼ばれる機能を搭載した情報処理装置が製品化されている。
【０００３】
例えば特許文献１には、ＷＯＬを設定可能なＬＡＮコントローラを備えた拡張ユニットに外部電源が接続され、かつ拡張ユニットとノートＰＣとが接続された状態においてのみ、拡張ユニットのＬＡＮコントローラでＷＯＬによるリモート管理機能を実現するために、外部電源と拡張ユニットとノートＰＣとの接続状態を管理する方法が開示されている。
【発明の概要】
【発明が解決しようとする課題】
【０００４】
しかしながら、特許文献１に開示された技術では、例えば停電やコンセント抜けなどに起因して外部電源が遮断された場合、電源遮断と同時にＷＯＬの設定も消失してしまう（クリアされてしまう）ため、外部電源が復帰してもＷＯＬによる電源ＯＮができなくなるという問題がある。
【課題を解決するための手段】
【０００５】
上述した課題を解決し、目的を達成するために、本発明は、情報処理を行う情報処理部と、外部電源に接続されて電力制御を行う電力制御部と、を少なくとも備える情報処理装置であって、サーバからの特定のパケットを受信したことを契機として、少なくとも前記情報処理部に対する電力供給を開始させる機能を示すＷＯＬを設定するか否かを示すＷＯＬ設定可否情報を設定するＷＯＬ設定可否情報設定部と、少なくとも前記電力制御部に対する電力供給を継続しつつ、少なくとも前記情報処理部に対する電力供給を停止することを要求するシャットダウン開始要求を受け付け、かつ、前記ＷＯＬ設定可否情報が前記ＷＯＬを設定することを示す場合、少なくとも前記情報処理部に対する電力供給を停止し、かつ、前記特定のパケットを受信するための受信部および前記電力制御部の各々に対する電力供給を継続する状態を示すＷＯＬ待機状態に移行させる制御を行う状態制御部と、前記ＷＯＬ待機状態に移行する前に、前記ＷＯＬを設定する制御を行うＷＯＬ設定制御部と、前記ＷＯＬ待機状態に移行した場合、前記ＷＯＬを設定していたことを示すＷＯＬ設定有効情報を、不揮発性メモリに記憶させる制御を行うＷＯＬ設定有効情報記憶制御部と、を備える情報処理装置である。
【発明の効果】
【０００６】
本発明によれば、ＷＯＬが設定された状態で外部電源が遮断されてもＷＯＬによる電源ＯＮが可能な状態に戻すことができる。
【図面の簡単な説明】
【０００７】
【図１】図１は、第１実施形態の複合機のハードウェア構成の一例を示す図である。
【図２】図２は、低電力デバイスマイコンのハードウェア構成の一例を示す図である。
【図３】図３は、複合機のソフトウェア構成の一例を示す図である。
【図４】図４は、複合機の機能構成の一例を示す図である。
【図５】図５は、ＷＯＬの設定の可否を決定する場合の複合機の動作例を示すフローチャートである。
【図６】図６は、シャットダウン時の複合機の動作例を示すフローチャートである。
【図７】図７は、複合機の電力状態の一例を示す図である。
【図８】図８は、複合機の電力状態の一例を示す図である。
【図９】図９は、シャットダウン後の低電力デバイスマイコンの動作例を示すフローチャートである。
【図１０】図１０は、低電力デバイスマイコンに対する外部電源からの電力供給が開始された場合の低電力デバイスマイコンの動作例を示すフローチャートである。
【図１１】図１１は、複合機起動部による処理の一例を示すフローチャートである。
【図１２】図１２は、複合機の電力状態の一例を示す図である。
【図１３】図１３は、設定ファイルの一例を示す図である。
【図１４】図１４は、ＷＯＬを設定中である旨の表示の一例を示す図である。
【図１５】図１５は、予期せぬ起動が発生したために即時シャットダウンを行う旨の表示の一例を示す図である。
【図１６】図１６は、第２実施形態の複合機のハードウェア構成の一例を示す図である。
【図１７】図１７は、低電力デバイスマイコンに対する外部電源からの電力供給が開始された場合の低電力デバイスマイコンの動作例を示すフローチャートである。
【図１８】図１８は、複合機の電力状態の一例を示す図である。
【図１９】図１９は、第３実施形態の複合機のハードウェア構成の一例を示す図である。
【図２０】図２０は、低電力デバイスマイコンに対する外部電源からの電力供給が開始された場合の低電力デバイスマイコンの動作例を示すフローチャートである。
【図２１】図２１は、複合機の電力状態の一例を示す図である。
【図２２】図２２は、第４実施形態の複合機が有する機能の一例を示す図である。
【図２３】図２３は、第４実施形態の複合機起動部による処理の一例を示すフローチャートである。
【図２４】図２４は、第４実施形態の設定ファイルの一例を示す図である。
【図２５】図２５は、異常停止表示の一例を示す図である。
【図２６】図２６は、第５実施形態の複合機が有する機能の一例を示す図である。
【図２７】図２７は、ユーザの操作に応じて各種の設定を行う場合の複合機の動作例を示すフローチャートである。
【図２８】図２８は、シャットダウン時の複合機の動作例を示すフローチャートである。
【図２９】図２９は、シャットダウン後の低電力デバイスマイコンの動作例を示すフローチャートである。
【発明を実施するための形態】
【０００８】
以下、添付図面を参照しながら、本発明に係る情報処理装置および情報処理方法の実施形態を詳細に説明する。以下では、本発明に係る情報処理装置の一例として、画像処理装置の一態様である複合機（ＭＦＰ：Multifunction  Peripheral）を例に挙げて説明するが、これに限られるものではない。なお、複合機とは、コピー機能、スキャナ機能、プリント機能、ファクス機能などの複数の異なる機能を有する装置である。
【０００９】
（第１実施形態）
図１は、本実施形態の複合機１のハードウェア構成の一例を示す図である。図１に示すように、複合機１は、各種の情報処理を行うコントローラ１００と、オペレーションパネル２００と、ファクスコントロールユニット（以下、「ＦＣＵ」と称する）３００と、画像形成機能を提供するためのエンジン部４００と、低電力デバイスマイコン５００と、電源ボタン６１０と、電源プラグ６２０とを含む。ここでは、電源プラグ６２０は低電力デバイスマイコン５００に接続される。電源プラグ６２０は、複合機１と、外部電源（典型的には商用電源）と接続されたコンセントを繋ぐ接続部であり、電源を供給するために用いられる。より具体的には、電源プラグ６２０が、差し込み口（電源プラグ６２０の差し込み口）を有するコンセントに接続されることで、外部電源からの電力が低電力デバイスマイコン５００に供給される。この例では、低電力デバイスマイコン５００は、外部電源に接続されて電力制御を行う。低電力デバイスマイコン５００の具体的な内容については後述する。また、この例では、低電力デバイスマイコン５００は請求項の「電力制御部」に対応し、コントローラ１００は請求項の「情報処理部」に対応していると考えることができる。
【００１０】
コントローラ１００は、ＣＰＵ１１０と、システムメモリ１２０と、ＮＶＲＡＭ１３０と、ＡＳＩＣ１４０と、ＮＡＮＤＦｌａｓｈメモリ１５０と、ＨＤＤ（ハードディスクドライブ）１６０と、ネットワークインターフェースカード（以下、「ＮＩＣ」と称する）１７０と、ＵＳＢデバイス１８０とを含む。
【００１１】
オペレーションパネル２００は、オペレータからの入力操作を受け付けるタッチパネル２２０と、オペレータに向けた表示を行う（コントローラ１００による情報処理結果を含む各種の情報を表示する）ＬＣＤ２１０とで構成される。この例では、ＬＣＤ２１０（あるいはオペレーションパネル２００）は請求項の「表示部」に対応していると考えることができる。タッチパネル２２０およびＬＣＤ２１０の各々は、コントローラ１００のＡＳＩＣ１４０に接続されている。
【００１２】
また、本実施形態では、ＮＩＣ１７０、ＵＳＢデバイス１８０、ＦＣＵ３００およびエンジン部４００は、ＰＣＩバスを介して、コントローラ１００のＡＳＩＣ１４０に接続されている。ＡＳＩＣ１４０には、システムメモリ１２０、ＮＶＲＡＭ１３０、ＮＡＮＤＦｌａｓｈメモリ１５０、ＨＤＤ１６０などが接続される。そして、ＣＰＵ１１０とＡＳＩＣ１４０はシステムバスを介して接続されている。
【００１３】
ＣＰＵ１１０は、複合機１の全体制御を行う。ＣＰＵ１１０はＯＳや画像形成を行うアプリケーション等を起動して実行させる。システムメモリ１２０は、複合機１の描画用メモリや、アプリケーションを動作するためのメモリとして用いるメモリである。ＮＶＲＡＭ１３０は、書き換え可能で、電力供給が遮断されても（電源を切っても）内部データを保持することができる不揮発性の半導体メモリである。ＮＶＲＡＭ１３０は、例えば複合機１のシステム設定やネットワーク関連の設定などのデータを格納することができる。
【００１４】
ＡＳＩＣ１４０は、画像処理用のハードウェア要素を有する画像処理用途向けのＩＣである。ＡＳＩＣ１４０には更に入出力の汎用ポートを備え、当該汎用ポートには、複合機１の状態変化を開始するトリガーとなる信号（電源ボタン６１０の押下によって変化する信号、低電力デバイスマイコン５００によるボタン押下を通知する信号および後述のＷＯＬ信号の発生を通知する信号など）に対応する複数のポート（対応する信号が供給される信号線が接続される端子）、複合機１の各部に対する電力供給の可否（電源ＯＮ／ＯＦＦ）を制御するための信号（オペレーションパネル２００に対する電力供給の可否を切り替えるオペレーションパネル制御用ＳＷ２３０を制御する信号、ＦＣＵ３００に対する電力供給の可否を切り替えるＦＣＵ制御用ＳＷ３１０を制御する信号、エンジン部４００に対する電力供給の可否を切り替えるエンジン制御用ＳＷ４１０を制御する信号、コントローラ１００に対する電力供給の可否を切り替えるコントローラ制御用ＳＷ１０１を制御する信号など）に対応する複数のポート、低電力デバイスマイコン５００へ電源監視を委譲するための信号（後述のマイコン監視有効信号、後述のＷＯＬ設定有効信号など）に対応する複数のポートが設けられる。
【００１５】
ＨＤＤ１６０は、画像データの蓄積、文書データの蓄積、プログラムの蓄積、フォントデータの蓄積、フォームの蓄積などを行うストレージ（補助記憶装置）の一例である。ＮＡＮＤＦｌａｓｈメモリ１５０は、ＯＳやアプリケーションを格納するための不揮発メモリである。ＮＩＣ１７０は、複合機１をネットワークに接続するインターフェース機器であり、ＭＡＣ１７１とＰＨＹ１７２によって構成される。ＭＡＣ１７１は通信用のバッファを備え、ネットワークの送信と受信の制御を行う。ＰＨＹ１７２は外部インターフェースにあわせて、物理的なデータの伝送変換を行う。またＰＨＹ１７２では、複合機１の電源ＯＮのトリガーとなるマジックパケット（請求項の「特定のパケット」に対応）の受信により、少なくともコントローラ１００に対する電力供給を開始させるためのＷａｋｅ＿ｏｎ＿ＬＡＮ信号（以下、「ＷＯＬ信号」と称する）を発生させることができる。複合機１の電源ＯＮのトリガーとなるマジックパケットは、複合機１に対して一意に割り当てられる物理アドレスを示すＭＡＣアドレスを少なくとも含む。この例では、ＰＨＹ１７２は請求項の「受信部」に対応していると考えることができる。
【００１６】
ＵＳＢデバイス１８０は、ＵＳＢ規格に対応する周辺機器を複合機１に接続するためのインターフェース機器である。低電力デバイスマイコン５００は、外部電源（電源プラグ６２０）に接続されて複合機１の電力制御を行う。本実施形態では、低電力デバイスマイコン５００は、電源ボタン６１０の押下の有無、ＷＯＬ信号を監視し、ＡＳＩＣ１４０に対して電源ボタン６１０が押下されたことを通知するためのボタン押下通知信号、ＡＳＩＣ１４０に対してＷＯＬ信号が発生したことを通知するためのＷＯＬ通知信号を発生させる。また、低電力デバイスマイコン５００は、サーバからの特定のパケット（マジックパケット）を受信したことを契機として、少なくともコントローラ１００に対する電力供給を開始させる機能を示すＷＯＬの設定をしていたことを示すＷＯＬ設定有効信号が発生したか否かを確認する。より具体的な内容については後述する。
【００１７】
電源ボタン６１０は外部電源（電源プラグ６２０）から複合機１へ電源を供給するトリガーとして用いられる。エンジン部４００は、画像を読み取るスキャナ、および印刷を行うプロッタである。なお、ＦＣＵ３００はメモリを有している。ＦＣＵ３００が有するメモリは、例えば複合機１の電源がＯＦＦのときに受信したファクシミリデータを一時的に格納するために利用される。
【００１８】
図２は、低電力デバイスマイコン５００のハードウェア構成の一例を示す図である。図２に示すように、低電力デバイスマイコン５００は、ＣＰＵ５０１、ＲＡＭ５０２、ＲＯＭ５０３、ＦＲＡＭ（登録商標）５０４、ＵＡＲＴ５０５、ＧＰＩＯ５０６を含む。
【００１９】
ＣＰＵ５０１は、低電力デバイスマイコン５００を統括的に制御する。ＣＰＵ５０１は、電源制御機能を提供するための電源制御ファームウェアを起動して実行させる。ＲＡＭ５０２は電源制御ファームウェアを動作させるために使用するテンポラリのメモリである。ＲＯＭ５０３は電源制御ファームウェアを格納するための不揮発メモリである。ＦＲＡＭ（登録商標）５０４は書き換え可能で、電源を切っても内部データを保持することができる不揮発性の半導体メモリである。ＦＲＡＭ（登録商標）５０４は、例えば電源制御ファームウェアの各種設定を保存する。ＵＡＲＴ５０５は、コンソール表示等に使用するデバック用のインターフェースである。
【００２０】
ＧＰＩＯ５０６は、入出力の汎用ポートであり、このポート制御によって具体的な電源制御を実行する。電源制御ファームウェアは、電源ボタン押下によって変化する信号の監視（当該信号に対応するポートの監視）、ＰＨＹ１７２により設定されるＷＯＬ信号の監視、ＡＳＩＣ１４０に対して電源ボタン６１０が押下されたことを通知するためのボタン押下通知信号に対応するポートの制御（例えばボタン押下通知信号を発生させる場合、対応するポートの電圧を所定の電圧に設定するなどの制御）、ＡＳＩＣ１４０に対してＷＯＬ信号が発生したことを通知するためのＷＯＬ通知信号に対応するポートの制御（例えばＷＯＬ通知信号を発生させる場合、対応するポートの電圧を所定の電圧に設定するなどの制御）を実施する。また、複合機１の各部に対する電力供給の可否を制御するための信号（この例では、オペレーションパネル制御用ＳＷ２３０、ＦＣＵ制御用ＳＷ３１０、エンジン制御用ＳＷ４１０、および、コントローラ制御用ＳＷ１０１を連動させてＯＮさせるためのリレーＳＷ１０２を制御するリレー信号）に対応するポートの制御（例えばリレー信号を発生させる場合、対応するポートの電圧を所定の電圧に設定するなどの制御）を実施する。また、後述のマイコン監視有効信号および後述のＷＯＬ設定有効信号の各々の監視を行う。
【００２１】
図３は、複合機１のソフトウェア構成の一例を示す図である。図３に示すように、複合機１は、ＯＳ１０と、複合機起動部２０と、状態管理モジュール３０と、アプリケーション４０とを有する。
【００２２】
ＯＳ１０は、ユニックス（ＵＮＩＸ（登録商標））等であって、アプリケーション４０の各ソフトウェアをプロセスとして並列実行する。 ＯＳ１０にはＲＡＭの使用領域を管理するメモリ管理、プロセス／スレッドをどのＣＰＵでどのタイミングで実行するかをスケジュール管理するプロセス／スレッド管理、プロセス／スレッドのＣＰＵ使用率により優先度を変化させるプロセス／スレッド優先度管理、ＮＡＮＤＦｌａｓｈメモリ１５０やＨＤＤ１６０へのアクセスに対しファイル入出力を提供するファイルシステムそして複合機１を制御するためのデバイスドライバを含んでいる。
【００２３】
ＯＳ１０が提供するデバイスドライバには、図１のハードウェアを制御するためのＮＡＮＤＦｌａｓｈメモリドライバ、ＨＤＤドライバ、ＮＶＲＡＭドライバ、ＦＣＵ通信ドライバ、ＬＣＤドライバ、エンジン通信ドライバ、ＵＳＢドライバ、タッチパネルドライバ、ＡＳＩＣドライバ、ＮＩＣドライバが存在する。本構成において、ＡＳＩＣドライバ１１およびＮＩＣドライバ１２を除くドライバ群には特徴的なものは特にないため、説明を割愛する。ＡＳＩＣドライバ１１は、ＡＳＩＣ１４０の持つ画像処理機能を使用するためのインターフェースを備えた画像形成ドライバ１３と、ＡＳＩＣ１４０の入出力の汎用ポートを制御する状態制御ドライバ１４とを含む。ＮＩＣドライバ１２は、ネットワーク上のパケット送受信を行うだけでなく、電源ＯＦＦ時（後述のＷＯＬ待機状態時）にマジックパケット受信を検知する機能を有する。
【００２４】
複合機起動部２０は、ＯＳ１０の起動後に最初に起動されるプロセスで、以後、ＮＡＮＤフラッシュメモリ１５０上の設定ファイルに基づき、状態管理モジュール３０やアプリケーション４０の起動方法や起動の順番を制御する。状態管理モジュール３０は、発生したイベントを元に、複合機１の状態制御・状態変更を実施する。
【００２５】
アプリケーション４０は、プリンタ、コピー、ファクシミリおよびスキャナなどの画像形成処理にかかるユーザサービスに対応する固有の処理を行うものである。アプリケーション４０は、ページ記述言語（ＰＤＬ、ＰＣＬ）およびポストスクリプト（ＰＳ）を有するプリンタ用のアプリケーションであるプリンタアプリと、コピー用のアプリケーションであるコピーアプリと、ファクシミリ用のアプリケーションであるファクスアプリと、スキャナ用のアプリケーションであるスキャナアプリとを有している。
【００２６】
図４は、複合機１の機能構成の一例を示す図である。図４に示すように、複合機１は、ＷＯＬ設定可否情報設定部７０１と、状態制御部７０２と、ＷＯＬ設定制御部７０３と、ＷＯＬ設定有効情報記憶制御部７０４と、表示制御部７０５とを有する。説明の便宜上、図４では、本発明に係る機能を主に例示しているが、複合機１が有する機能は、これらに限られるものではない。
【００２７】
ＷＯＬ設定可否情報設定部７０１は、ＷＯＬを設定するか否かを示すＷＯＬ設定可否情報を設定する。この例では、ＷＯＬ設定可否情報設定部７０１は、ユーザからＷＯＬを設定する指示を受け付けた場合、ＷＯＬを設定することを示すＷＯＬ有効ビット（ＷＯＬ設定可否情報の一例）をＮＶＲＡＭ１３０に設定する。
【００２８】
状態制御部７０２は、少なくとも低電力デバイスマイコン５００に対する電力供給を継続しつつ、少なくともコントローラ１００に対する電力供給を停止することを要求するシャットダウン開始要求を受け付け、かつ、ＷＯＬ設定可否情報がＷＯＬを設定することを示す（この例ではＮＶＲＡＭ１３０にＷＯＬ有効ビットが設定されている）場合、少なくともコントローラ１００に対する電力供給を停止し、かつ、ＰＨＹ１７２および低電力デバイスマイコン５００の各々に対する電力供給を継続する状態（複合機１の状態）を示すＷＯＬ待機状態に移行させる制御を行う。
【００２９】
ＷＯＬ設定制御部７０３は、ＷＯＬ待機状態に移行する前に、ＷＯＬを設定する制御を行う。ＷＯＬ設定制御部７０３は、複合機１に対して一意に割り当てられる物理アドレスを示すＭＡＣアドレスを、ＰＨＹ１７２に対して設定する制御を少なくとも行う。
【００３０】
ＷＯＬ設定有効情報記憶制御部７０４は、ＷＯＬ待機状態に移行した場合、ＷＯＬを設定していたことを示すＷＯＬ設定有効情報（この例では後述のＷＯＬ有効ビット）を、不揮発性メモリ（この例ではＦＲＡＭ（登録商標）５０４）に記憶させる制御を行う。
【００３１】
表示制御部７０５は、各種の情報をオペレーションパネル２００のＬＣＤ２１０に表示する制御を行う。詳しくは後述するが、表示制御部７０５は、ＷＯＬ設定制御部７０３によりＷＯＬを設定する制御が行われる場合、ＷＯＬを設定中である旨をＬＣＤ２１０に表示する制御を行う。また、表示制御部７０５は、電力供給を開始する契機となる信号（例えば後述のボタン押下通知信号や後述のＷＯＬ通知信号等）が発生せずに外部電源からの電力供給が開始され、かつ、ＷＯＬ設定有効情報が設定されていない場合（つまり予期せぬ起動の場合）、そのままシャットダウンする旨をＬＣＤ２１０に表示する制御を行う。
【００３２】
詳しくは後述するが、本実施形態では、電源プラグ６２０の接続や停電からの復帰に伴って低電力デバイスマイコン５００に対する外部電源からの電力供給が開始され、かつ、ＦＲＡＭ（登録商標）５０４にＷＯＬ有効ビット（ＷＯＬ設定有効情報の一例）が記憶されていた場合、低電力デバイスマイコン５００は、少なくともコントローラ１００に対する電力供給を開始し、ＷＯＬ設定制御部７０３は、ＷＯＬを設定する制御を行う。そして、ＷＯＬ設定制御部７０３によりＷＯＬを設定する制御が行われた後、状態制御部７０２は、複合機１の状態をＷＯＬ待機状態に移行させる制御を行う。
【００３３】
なお、本実施形態では、上述のＷＯＬ設定可否情報設定部７０１、状態制御部７０２、ＷＯＬ設定制御部７０３および表示制御部７０５の各々の機能はコントローラ１００によって実現されるがこれに限られるものではない。ここでは、上述のＷＯＬ設定可否情報設定部７０１、状態制御部７０２、ＷＯＬ設定制御部７０３および表示制御部７０５の各々の機能は、コントローラ１００のＣＰＵ１１０が、例えばＮＡＮＤフラッシュメモリ１５０等に記憶されたプログラムを実行することにより実現される。この例では、上述のＷＯＬ設定可否情報設定部７０１の機能は状態管理モジュール３０により提供され、上述の状態制御部７０２の機能は状態制御ドライバ１４により提供され、上述のＷＯＬ設定制御部７０３の機能はＮＩＣドライバ１２により提供され、上述の表示制御部７０５の機能は状態管理モジュール３０により提供されるが、これに限られるものではない。例えば上述のＷＯＬ設定可否情報設定部７０１、状態制御部７０２、ＷＯＬ設定制御部７０３および表示制御部７０５の各々の機能のうちの少なくとも一部が専用のハードウェア回路（例えば半導体集積回路等）によって実現されてもよい。
【００３４】
また、本実施形態では、上述のＷＯＬ設定有効情報記憶制御部７０４の機能は低電力デバイスマイコン５００により実現される。ここでは、上述のＷＯＬ設定有効情報記憶制御部７０４の機能は、低電力デバイスマイコン５００のＣＰＵ５０１が例えばＲＯＭ５０３等に格納されたプログラムを実行することにより実現されるが、これに限らず、例えば上述のＷＯＬ設定有効情報記憶制御部７０４の機能が専用のハードウェア回路（例えば半導体集積回路等）によって実現されてもよい。
【００３５】
以下、本実施形態の複合機１の具体的な動作例を説明する。図５は、ＷＯＬの設定の可否を決定する場合の複合機１の動作例を示すフローチャートである。まず、表示制御部７０５は、ユーザの操作に応じて、ＷＯＬを設定する指示を受け付けるための設定画面をオペレーションパネル２００のＬＣＤ２１０に表示する制御を行う（ステップＳ１）。次に、ＷＯＬを設定する指示を受け付けた場合（ステップＳ２：Ｙｅｓ）、ＷＯＬ設定可否情報設定部７０１（状態管理モジュール３０）は、ＷＯＬ有効ビットをＮＶＲＡＭ１３０に設定する（ステップＳ３）。一方、ＷＯＬを設定しない指示を受け付けた場合（ステップＳ２：Ｎｏ）、ＷＯＬ設定可否情報設定部７０１（状態管理モジュール３０）は、ＷＯＬ有効ビットをＮＶＲＡＭ１３０に設定せず、ＮＶＲＡＭ１３０内のＷＯＬ有効ビットをクリアする（ステップＳ４）。ＷＯＬの設定が可能なアプリケーション４０の種類は任意であり、コピーアプリ、プリンタアプリ、ファクスアプリ、スキャナアプリのうちの何れであってもよい。
【００３６】
図６は、シャットダウン時の複合機１の動作例を示すフローチャートである。まず状態制御ドライバ１４は、電源ボタン６１０の押下を検知する（ステップＳ１１）。本実施形態では、少なくともコントーラ１００に対して電力が供給されている状態（例えば後述の定常状態）において、ユーザが電源ボタン６１０を押下すると、ＡＳＩＣ１４０の入出力用の汎用ポートのうち電源ボタン６１０の押下に対応するポートに接続された信号線に供給される信号（電源ボタン信号）の電圧は、電源ボタン６１０の押下の発生を示す電圧に変化する。そして、状態制御ドライバ１４は、ＡＳＩＣ１４０の入出力用の汎用ポートのうちボタン押下に対応するポートの電圧を読み取ることで、電源ボタン６１０の押下を検知することができる。次に、状態制御ドライバ１４は、状態管理モジュール３０に対して、電源ボタン６１０の押下を通知する（ステップＳ１２）。
【００３７】
次に、状態管理モジュール３０は、各アプリケーション４０に対して制御の停止を要求し（ステップＳ１３）、シャットダウン開始可能な状態への遷移を促す。なお、この例では、シャットダウンとは、少なくとも低電力デバイスマイコン５００に対する電力供給を継続しつつ、少なくともコントローラ１００に対する電力供給を停止する処理である。
【００３８】
状態管理モジュール３０は、各アプリケーション４０がシャットダウン開始可能な状態へ遷移したことを確認後、状態制御ドライバ１４に対してシャットダウン開始要求を出力する（ステップＳ１４）。シャットダウン開始要求を受け付けた状態制御ドライバ１４は、ＮＶＲＡＭ１３０を確認し（ステップＳ１５）、ＮＶＲＡＭ１３０に上述のＷＯＬ有効ビットがセット（設定）されている場合（ステップＳ１６：Ｙｅｓ）、状態制御ドライバ１４はＮＩＣドライバ１２に対して、ＷＯＬの設定を要求（ＷＯＬの設定を有効にすることを要求）する（ステップＳ１７）。この要求を受けたＮＩＣドライバ１２は、ＰＨＹ１７２のＷＯＬアドレスレジスタに、自局ＭＡＣアドレス（複合機１のＭＡＣアドレス）をセットする（ステップＳ１８）。次に、ＮＩＣドライバ１２は、ＰＨＹ１７２のＷＯＬ有効レジスタのイネーブルｂｉｔをセットし（ステップＳ１９）、状態制御ドライバ１４に対して完了通知を行う。
【００３９】
ＮＩＣドライバ１２からの完了通知を受けた状態制御ドライバ１４は、ＷＯＬの設定が有効であることを示すＷＯＬ設定有効信号をセットする（ステップＳ２０）。例えば状態制御ドライバ１４は、ＡＳＩＣ１４０の入出力用の汎用ポートのうちＷＯＬ設定有効信号に対応するポートの電圧を、ＷＯＬ設定有効信号の発生を示す電圧（予め定められた電圧）に設定することで、ＷＯＬ設定有効信号をセットすることができる。さらに、状態制御ドライバ１４は、低電力デバイスマイコン５００への電源監視を移譲するための情報として、低電力デバイスマイコン５００へ電源監視を移譲していることを示すマイコン監視有効信号をセットする（ステップＳ２１）。例えば状態制御ドライバ１４は、ＡＳＩＣ１４０の入出力用の汎用ポートのうちマイコン監視有効信号に対応するポートの電圧を、マイコン監視有効信号の発生を示す電圧（予め定められた電圧）に設定することで、マイコン監視有効信号をセットすることができる。
【００４０】
上述のステップＳ２１の後、状態制御ドライバ１４は、コントローラ１００、オペレーションパネル２００、ＦＣＵ３００およびエンジン部４００の各々に対する電力供給を停止（電源をＯＦＦ）する（ステップＳ２２）。本実施形態では、状態制御ドライバ１４は、ＡＳＩＣ１４０の入出力用の汎用ポートのうちコントローラ制御用ＳＷ１０１を制御する信号を制御する信号に対応するポートの電圧を、コントローラ制御用ＳＷ１０１をＯＦＦに遷移させる電圧に設定することで、コントローラ制御用ＳＷ１０１をＯＦＦに遷移させ、コントローラ１００に対する電力供給を停止することができる。同様に、状態制御ドライバ１４は、ＡＳＩＣ１４０の入出力用の汎用ポートのうち、オペレーションパネル制御用ＳＷ２３０を制御する信号に対応するポートの電圧を、オペレーションパネル制御用ＳＷ２３０をＯＦＦに遷移させる電圧に設定し、ＦＣＵ制御用ＳＷ３１０を制御する信号に対応するポートの電圧を、ＦＣＵ制御用ＳＷ３１０をＯＦＦに遷移させる電圧に設定し、エンジン制御用ＳＷ４１０を制御する信号に対応するポートを、エンジン制御用ＳＷ４１０をＯＦＦに遷移させる電圧に設定する。
【００４１】
以上のように、ＷＯＬを設定してシャットダウンした場合、図７に示すように、複合機１の状態は、低電力デバイスマイコン５００およびＰＨＹ１７２の各々に対する電力供給は継続される一方、それ以外の要素（コントローラ１００等）に対する電力供給は停止された状態となる。本実施形態では、図７に示す状態を「ＷＯＬ待機状態」と称する。ＷＯＬ待機状態では、ＰＨＹ１７２に対する通電は継続されるため、ＰＨＹ１７２はマジックパケットの受信によりＷＯＬ信号を低電力デバイスマイコン５００に通知することができる。そして、低電力デバイスマイコン５００は、電源ボタン６１０の押下またはＷＯＬ信号の発生を検知することで、複合機１の各部（少なくとも低電力デバイスマイコン５００およびＰＨＹ１７２以外の要素）に対する電力供給を再開することができる。
【００４２】
図６に戻って説明を続ける。上述のステップＳ１６において、ＮＶＲＡＭ１３０に上述のＷＯＬ有効ビットがセットされていない場合（ステップＳ１６：Ｎｏ）、状態制御ドライバ１４はＮＩＣドライバ１２に対してＷＯＬの設定を無効にすることを要求する（ステップＳ２３）。この要求を受けたＮＩＣドライバ１２は、ＰＨＹ１７２に対する電力供給を停止（電源をＯＦＦ）する（ステップＳ２４）。次に、状態制御ドライバ１４は、ＷＯＬ設定有効信号をクリアする（ステップＳ２５）。例えば状態制御ドライバ１４は、ＡＳＩＣ１４０の入出力用の汎用ポートのうちＷＯＬ設定有効信号に対応するポートの電圧を、ＷＯＬ設定有効信号が発生していないことを示す電圧（予め定められた電圧）に設定することで、ＷＯＬ設定有効信号をクリアすることができる。そして、状態制御ドライバ１４は、低電力デバイスマイコン５００への電源監視を移譲するための情報として、低電力デバイスマイコン５００へ電源監視を移譲していることを示すマイコン監視有効信号をセットする（ステップＳ２６）。
【００４３】
上述のステップＳ２６の後、状態制御ドライバ１４は、コントローラ１００、オペレーションパネル２００、ＦＣＵ３００およびエンジン部４００の各々に対する電力供給を停止（電源をＯＦＦ）する（ステップＳ２２）。以上のように、ＷＯＬを設定せずにシャットダウンした場合、図８に示すように、複合機１の状態は、低電力デバイスマイコン５００のみに対する電力供給は継続される一方、それ以外の要素（コントローラ１００等）に対する電力供給は停止された状態となる。この状態に移行した場合、低電力デバイスマイコン５００は、電源ボタン６１０の押下を検知することで、複合機１の各部（少なくとも低電力デバイスマイコン５００以外の要素）に対する電力供給を再開することができる。
【００４４】
次に、シャットダウン後の低電力デバイスマイコン５００の動作を説明する。図９は、シャットダウン後の低電力デバイスマイコン５００の動作例を示すフローチャートである。まず低電力デバイスマイコン５００は、マイコン監視有効信号のセットを確認する（ステップＳ３１）。例えば低電力デバイスマイコン５００は、ＧＰＩＯ５０６のうちマイコン監視有効信号に対応するポートの電圧を読み取ることで、マイコン監視有効信号のセットを確認することができる。次に、低電力デバイスマイコン５００（ＷＯＬ設定有効情報記憶制御部７０４）は、ＷＯＬ設定有効信号がセットされているか否かを確認する（ステップＳ３２）。例えば低電力デバイスマイコン５００は、ＧＰＩＯ５０６のうちＷＯＬ設定有効信号に対応するポートの電圧を読み取ることで、ＷＯＬ設定有効信号がセットされているか否かを確認することができる。
【００４５】
ＷＯＬ設定有効信号がセットされている場合（ステップＳ３２：Ｙｅｓ）、低電力デバイスマイコン５００（ＷＯＬ設定有効情報記憶制御部７０４）は、ＷＯＬを設定してシャットダウンしたと解釈し、内部のＦＲＡＭ（登録商標）５０４に、ＷＯＬを設定していたことを示すＷＯＬ有効ビットをセット（設定）する（ステップＳ３３）。一方、上述のステップＳ３２において、ＷＯＬ設定有効信号がセットされていない場合（ステップＳ３２：Ｎｏ）、低電力デバイスマイコン５００は、内部のＦＲＡＭ（登録商標）５０４にＷＯＬ有効ビットをセットすることはせずに、内部のＦＲＡＭ（登録商標）５０４内のＷＯＬ有効ビットをクリアする（ステップＳ３４）。
【００４６】
その後、低電力デバイスマイコン５００は、複合機１の電源ＯＮのイベントの監視を開始する。まず低電力デバイスマイコン５００は、電源ボタン６１０が押下されたか否かを確認する（ステップＳ３５）。例えば低電力デバイスマイコン５００は、ＧＰＩＯ５０６のうち電源ボタン６１０の押下に対応するポートの電圧を監視し、当該ポートの電圧が、ボタン押下の発生を示す電圧に変化したか否かを確認することで、電源ボタン６１０が押下されたか否かを確認することができる。
【００４７】
電源ボタン６１０が押下された場合（ステップＳ３５：Ｙｅｓ）、低電力デバイスマイコン５００は、ボタン押下通知信号をセットする（ステップＳ３６）。例えば低電力デバイスマイコン５００は、ＧＰＩＯ５０６のうちボタン押下通知信号に対応するポートの電圧を、ボタン押下通知信号の発生を示す電圧（予め定めれた電圧）に設定する。次に、低電力デバイスマイコン５００は、ＷＯＬ通知信号をクリアする（ステップＳ３７）。例えば低電力デバイスマイコン５００は、ＧＰＩＯ５０６のうちＷＯＬ通知信号に対応するポートの電圧を、ＷＯＬ通知信号が発生していないことを示す電圧に設定する。
【００４８】
上述のステップＳ３７の後、低電力デバイスマイコン５００は、コントローラ１００、オペレーションパネル２００、ＦＣＵ３００およびエンジン部４００の各々に対する電力供給を開始（電源をＯＮ）する（ステップＳ３８）。本実施形態では、低電力デバイスマイコン５００は、ＧＰＩＯ５０６のうちリレー信号に対応するポートの電圧を、リレーＳＷ１０２をＯＮに遷移させる電圧に設定する。これにより、リレーＳＷ１０２はＯＮに遷移し、リレーＳＷ１０２のＯＮに連動して、コントローラ制御用ＳＷ１０１、オペレーションパネル制御用ＳＷ２３０、ＦＣＵ制御用ＳＷ３１０、および、エンジン制御用ＳＷ４１０の各々がＯＮに遷移する。これにより、コントローラ１００、オペレーションパネル２００、ＦＣＵ３００およびエンジン部４００の各々に対する電力供給が開始される。
【００４９】
一方、上述のステップＳ３５において電源ボタン６１０が押下されない場合（ステップＳ３５：Ｎｏ）、低電力デバイスマイコン５００は、ＰＨＹ１７２によりＷＯＬ信号がセットされたか否かを確認する（ステップＳ３９）。例えば低電力デバイスマイコン５００は、ＧＰＩＯ５０６のうちＷＯＬ信号に対応するポートの電圧を監視し、当該ポートの電圧が、ＷＯＬ信号の発生を示す電圧であるか否かを確認することで、ＷＯＬ信号がセットされたか否かを確認することができる。
【００５０】
ＷＯＬ信号がセットされた場合（ステップＳ３９：Ｙｅｓ）、低電力デバイスマイコン５００は、ボタン押下通知信号をクリアする（ステップＳ４０）。例えば低電力デバイスマイコン５００は、ＧＰＩＯ５０６のうちボタン押下通知信号に対応するポートの電圧を、ボタン押下通知信号が発生していないことを示す電圧に設定する。次に、低電力デバイスマイコン５００は、ＷＯＬ通知信号をセットする（ステップＳ４１）。例えば低電力デバイスマイコン５００は、ＧＰＩＯ５０６のうちＷＯＬ通知信号に対応するポートの電圧を、ＷＯＬ通知信号が発生していることを示す電圧に設定する。そして、低電力デバイスマイコン５００は、コントローラ１００、オペレーションパネル２００、ＦＣＵ３００およびエンジン部４００の各々に対する電力供給を開始（電源をＯＮ）する（ステップＳ３８）。
【００５１】
次に、電源プラグ６２０の接続や停電からの復帰に伴って低電力デバイスマイコン５００に対する外部電源からの電力供給が開始された場合の低電力デバイスマイコン５００の動作を説明する。図１０は、電源プラグ６２０の接続や停電からの復帰に伴って低電力デバイスマイコン５００に対する外部電源からの電力供給が開始された場合の低電力デバイスマイコン５００の動作例を示すフローチャートである。図１０に示すように、まず低電力デバイスマイコン５００は、自身に対する通電を確認する（ステップＳ５１）。次に、低電力デバイスマイコン５００は、内部のＦＲＡＭ（登録商標）５０４を確認し（ステップＳ５２）、ＦＲＡＭ（登録商標）５０４にＷＯＬ有効ビットがセット（設定）されているか否かを確認する（ステップＳ５３）。
【００５２】
ＦＲＡＭ（登録商標）５０４にＷＯＬ有効ビットがセットされている場合（ステップＳ５３：Ｙｅｓ）、低電力デバイスマイコン５００は、ＷＯＬ有効ビットが設定された状態で電源が遮断されたためにＷＯＬ有効ビットの再設定が必要であると判断し、複合機１の起動を開始する。このとき、低電力デバイスマイコン５００は、複合機起動部２０に対して複合機１の起動方法を通知するために、ボタン押下通知信号をクリアし（ステップＳ５４）、ＷＯＬ通知信号をクリアする（ステップＳ５５）。例えば低電力デバイスマイコン５００は、ＧＰＩＯ５０６のうちボタン押下通知信号に対応するポートの電圧を、ボタン押下通知信号が発生していないことを示す電圧に設定することで、ボタン押下通知信号をクリアすることができる。また、例えば低電力デバイスマイコン５００は、ＧＰＩＯ５０６のうちＷＯＬ通知信号に対応するポートの電圧を、ＷＯＬ通知信号が発生していることを示す電圧に設定することで、ＷＯＬ通知信号をクリアすることができる。
【００５３】
次に、低電力デバイスマイコン５００は、コントローラ１００、オペレーションパネル２００、ＦＣＵ３００およびエンジン部４００の各々に対する電力供給を開始（電源をＯＮ）する（ステップＳ５６）。上述したように、本実施形態では、低電力デバイスマイコン５００は、ＧＰＩＯ５０６のうちリレー信号に対応するポートの電圧を、リレーＳＷ１０２をＯＮに遷移させる電圧に設定する。これにより、リレーＳＷ１０２はＯＮに遷移し、リレーＳＷ１０２のＯＮに連動して、コントローラ制御用ＳＷ１０１、オペレーションパネル制御用ＳＷ２３０、ＦＣＵ制御用ＳＷ３１０、および、エンジン制御用ＳＷ４１０の各々がＯＮに遷移する。これにより、コントローラ１００、オペレーションパネル２００、ＦＣＵ３００およびエンジン部４００の各々に対する電力供給が開始（再開）される。
【００５４】
一方、上述のステップＳ５３において、ＦＲＡＭ（登録商標）５０４にＷＯＬ有効ビットがセットされていない場合（ステップＳ５３：Ｎｏ）、低電力デバイスマイコン５００は、ＷＯＬの設定は不要であると判断し、電源ボタン６１０が押下されたか否かを確認する（ステップＳ５７）。電源ボタン６１０が押下された場合（ステップＳ５７：Ｙｅｓ）、低電力デバイスマイコン５００は、ボタン押下通知信号をセットする（ステップＳ５８）。例えば低電力デバイスマイコン５００は、ＧＰＩＯ５０６のうちボタン押下通知信号に対応するポートの電圧を、ボタン押下通知信号の発生を示す電圧に設定する。次に、低電力デバイスマイコン５００は、ＷＯＬ通知信号をクリアする（ステップＳ５９）。例えば低電力デバイスマイコン５００は、ＧＰＩＯ５０６のうちＷＯＬ通知信号に対応するポートの電圧を、ＷＯＬ通知信号が発生していないことを示す電圧に設定する。次に、低電力デバイスマイコン５００は、コントローラ１００、オペレーションパネル２００、ＦＣＵ３００およびエンジン部４００の各々に対する電力供給を開始（電源をＯＮ）する（ステップＳ６０）。
【００５５】
次に、コントローラ１００に対する電力供給が開始された場合における複合機１の動作を説明する。図１１は、コントローラ１００に対する電力供給が開始された場合における複合機起動部２０による処理の一例を示すフローチャートである。図１１に示すように、まず複合機起動部２０は、マイコン監視有効信号をクリアする（ステップＳ６１）。例えば複合機起動部２０は、ＡＳＩＣ１４０の入出力用の汎用ポートのうちマイコン監視有効信号に対応するポートの電圧を、マイコン監視有効信号が発生していないことを示す電圧に設定する。次に、複合機起動部２０は、ボタン押下通知信号がセットされているか否かを確認する（ステップＳ６２）。例えば複合機起動部２０は、ＡＳＩＣ１４０の入出力用の汎用ポートのうちボタン押下通知信号に対応するポートの電圧が、ボタン押下通知信号の発生を示す電圧であるか否かを確認することで、ボタン押下通知信号がセットされているか否かを確認することができる。
【００５６】
ボタン押下通知信号がセットされていない場合（ステップＳ６２：Ｎｏ）、複合機起動部２０は、ＷＯＬ通知信号がセットされているか否かを確認する（ステップＳ６３）。例えば複合機起動部２０は、ＡＳＩＣ１４０の入出力用の汎用ポートのうちＷＯＬ通知信号に対応するポートの電圧が、ＷＯＬ通知信号の発生を示す電圧であるか否かを確認することで、ＷＯＬ通知信号がセットされているか否かを確認することができる。
【００５７】
ボタン押下通知信号がセットされている場合（ステップＳ６２：Ｙｅｓ）、または、ＷＯＬ通知信号がセットされている場合（ステップＳ６３：Ｙｅｓ）、複合機起動部２０は、通常の起動であると判断し、まずボタン押下通知信号およびＷＯＬ通知信号をクリアして初期状態に戻す（ステップＳ６４）。例えば複合機起動部２０は、ＡＳＩＣ１４０の入出力用の汎用ポートのうち、ボタン押下通知信号に対応するポートの電圧を、ボタン押下通知信号が発生していないことを示す電圧に設定し、ＷＯＬ通知信号に対応するポートの電圧を、ＷＯＬ通知信号が発生していないことを示す電圧に設定することで初期状態に戻す。
【００５８】
次に、複合機起動部２０は、設定ファイルを読み出し（ステップＳ６５）、通常起動モードで起動する（ステップＳ６６）。設定ファイルの詳細については後述する。なお、この例では通常起動モードで起動した場合、図１２に示すように、複合機１の状態は、複合機１に含まれる全ての要素に対して通電される状態（ここでは「定常状態」と称する）に移行する。定常状態においては、マイコン監視有効信号はクリアされているので、低電力デバイスマイコン５００は電源監視等を行わない（何も行わない）。そのため、電源ボタン６１０の押下は、低電力デバイスマイコン５００ではなく、状態制御ドライバ１４が、ＡＳＩＣ１４０の入出力用の汎用ポートのうち電源ボタン６１０の押下に対応するポートを監視することで検知する。
【００５９】
図１１に戻って説明を続ける。ボタン押下通知信号がセットされておらず（ステップＳ６２：Ｎｏ）、かつ、ＷＯＬ通知信号がセットされていない場合（ステップＳ６３：Ｎｏ）、複合機起動部２０はコントローラ１００のＮＶＲＡＭ１３０を確認し（ステップＳ６７）、ＮＶＲＡＭ１３０にＷＯＬ有効ビットがセットされているか否かを確認する（ステップＳ６８）。
【００６０】
ＷＯＬ有効ビットがセットされている場合（ステップＳ６８：Ｙｅｓ）、複合機起動部２０は、ＷＯＬの再設定のための起動であると判断し、まずボタン押下通知信号およびＷＯＬ通知信号をクリアして初期状態に戻す（ステップＳ６９）。次に、複合機起動部２０は、設定ファイルを読み出し（ステップＳ７０）、ＷＯＬ再設定モードで起動する（ステップＳ７１）。
【００６１】
一方、上述のステップＳ６８において、ＷＯＬ有効ビットがセットされていない場合（ステップＳ６８：Ｎｏ）、複合機起動部２０は、予期せぬ起動であると判断し、まずボタン押下通知信号およびＷＯＬ通知信号をクリアして初期状態に戻す（ステップＳ７２）。次に、複合機起動部２０は、設定ファイルを読み出し（ステップＳ７３）、即時シャットダウンモードで起動する（ステップＳ７４）。
【００６２】
図１３は、設定ファイルの一例を示す図である。この例では、通常起動モードは、normalラベル、ＷＯＬ再設定モードはreset_wolラベル、即時シャットダウンモードはunknownラベル（不明な状態を意味する）の記載に従った処理を行う。通常起動モードはアプリケーション４０や状態管理モジュール３０等を含む全てのソフトウェアを起動し、ＷＯＬ再設定モードはstatemanagerのみ-wオプションで起動し、即時シャットダウンモードはstatemanagerのみ-sオプションで起動し、それぞれの振る舞いを切り替えている。なお、statemanagerは状態管理モジュール３０であり、-wオプションで起動する場合は、図１４に示すように、ＷＯＬを設定中である旨をＬＣＤ２１０に表示して、図６のステップＳ１３以降のシャットダウン処理を実施する。また、-sオプションで起動する場合は、図１５に示すように、予期せぬ起動が発生したために即時シャットダウンを行う旨をＬＣＤ２１０に表示して、図６のステップＳ１３以降のシャットダウン処理を実施する。なお、シャットダウンまでの時間が短い場合は、ＬＣＤ２１０への表示を行わなくてもよい。
【００６３】
以上に説明したように、本実施形態では、ＷＯＬ待機状態に移行した場合、ＷＯＬを設定していたことを示すＷＯＬ有効ビットを、低電力デバイスマイコン５００内部のＦＲＡＭ（登録商標）５０４に記憶させる。これにより、外部電源が遮断されても、その復旧時に、低電力デバイスマイコン５００内部のＦＲＡＭ（登録商標）５０４に記憶されたＷＯＬ有効ビットを利用して、ＷＯＬによる電源ＯＮが可能な状態に戻すことができる。より具体的には、上述したように、電源プラグ６２０の接続や停電からの復帰に伴って低電力デバイスマイコン５００に対する外部電源からの電力供給が開始され、かつ、低電力デバイスマイコン５００内部のＦＲＡＭ（登録商標）５０４にＷＯＬ有効ビットが記憶されていた場合、低電力デバイスマイコン５００は、コントローラ１００、オペレーションパネル２００、ＦＣＵ３００およびエンジン部４００の各々に対する電力供給を開始し、ＷＯＬ設定制御部７０３（ＮＩＣドライバ１２）は、ＷＯＬを設定する制御を行う。そして、ＷＯＬが設定された後、状態制御部７０２（状態制御ドライバ１４）は、複合機１の状態を再びＷＯＬ待機状態に移行させる制御を行う。以上のようにして、ＷＯＬが設定された状態で外部電源が遮断されてもＷＯＬによる電源ＯＮが可能な状態に戻すことができる。
【００６４】
（第２実施形態）
次に、第２実施形態について説明する。上述の第１実施形態と共通する部分については説明を省略する。図１６は、本実施形態の複合機１のハードウェア構成の一例を示す図である。本実施形態では、低電力デバイスマイコン５００が、ＦＣＵ制御用ＳＷ３１０およびエンジン制御用ＳＷ４１０の各々のＯＮ／ＯＦＦの切り替えを行うことができる。
【００６５】
図１７は、電源プラグ６２０の接続や停電からの復帰に伴って低電力デバイスマイコン５００に対する外部電源からの電力供給が開始された場合の低電力デバイスマイコン５００の動作例を示すフローチャートである。図１７のステップＳ８６以外の処理は、図１０と同様であるので、詳細な説明は省略する。図１７のステップＳ８６において、低電力デバイスマイコン５００は、ＦＣＵ制御用ＳＷ３１０およびエンジン制御用ＳＷ４１０の各々をＯＦＦに遷移させる制御を行った状態で、リレーＳＷ１０２をＯＮに遷移させる制御を行う。これにより、コントローラ制御用ＳＷ１０１およびオペレーションパネル制御用ＳＷ２３０の各々はＯＮに遷移する一方、ＦＣＵ制御用ＳＷ３１０およびエンジン制御用ＳＷ４１０の各々はＯＦＦに維持されるので、図１８に示すように、複合機１の状態は、コントローラ１００およびオペレーションパネル２００の各々に対する電力供給が開始され、ＦＣＵ３００およびエンジン部４００の各々に対する電力供給が停止された状態に遷移する。
【００６６】
要するに、電源プラグ６２０の接続や停電からの復帰に伴って低電力デバイスマイコン５００に対する外部電源からの電力供給が開始され、かつ、低電力デバイスマイコン５００内部のＦＲＡＭ（登録商標）５０４にＷＯＬ有効ビットが記憶されていた場合、ＷＯＬを再設定するために、低電力デバイスマイコン５００は、少なくともコントローラ１００に対する電力供給を開始する形態であればよい。
【００６７】
（第３実施形態）
次に、第３実施形態について説明する。上述の第１実施形態と共通する部分については説明を省略する。図１９は、本実施形態の複合機１のハードウェア構成の一例を示す図である。本実施形態では、低電力デバイスマイコン５００が、オペレーションパネル制御用ＳＷ２３０、ＦＣＵ制御用ＳＷ３１０およびエンジン制御用ＳＷ４１０の各々のＯＮ／ＯＦＦの切り替えを行うことができる。
【００６８】
図２０は、電源プラグ６２０の接続や停電からの復帰に伴って低電力デバイスマイコン５００に対する外部電源からの電力供給が開始された場合の低電力デバイスマイコン５００の動作例を示すフローチャートである。図２０のステップＳ１０６以外の処理は、図１０と同様であるので、詳細な説明は省略する。図２０のステップＳ１０６において、低電力デバイスマイコン５００は、オペレーションパネル制御用ＳＷ２３０、ＦＣＵ制御用ＳＷ３１０およびエンジン制御用ＳＷ４１０の各々をＯＦＦに遷移させる制御を行った状態で、リレーＳＷ１０２をＯＮに遷移させる制御を行う。これにより、コントローラ制御用ＳＷ１０１はＯＮに遷移する一方、オペレーションパネル制御用ＳＷ２３０、ＦＣＵ制御用ＳＷ３１０およびエンジン制御用ＳＷ４１０の各々はＯＦＦに維持されるので、図２１に示すように、複合機１の状態は、コントローラ１００に対する電力供給が開始され、オペレーションパネル２００、ＦＣＵ３００およびエンジン部４００の各々に対する電力供給が停止された状態に遷移する。
【００６９】
要するに、電源プラグ６２０の接続や停電からの復帰に伴って低電力デバイスマイコン５００に対する外部電源からの電力供給が開始され、かつ、低電力デバイスマイコン５００内部のＦＲＡＭ（登録商標）５０４にＷＯＬ有効ビットが記憶されていた場合、ＷＯＬを再設定するために、低電力デバイスマイコン５００は、少なくともコントローラ１００に対する電力供給を開始する形態であればよい。また、この場合、低電力デバイスマイコン５００は、オペレーションパネル２００に対する電力供給を行わない。さらに、例えば複合機１は、情報処理を拡張して行う拡張処理部（オプション機能を提供するための装置）をさらに備え、低電力デバイスマイコン５００は、拡張処理部に対する電力供給を行わない形態であってもよい。これにより、無駄な電力消費や不要な部位の初期処理によって起こる騒音を抑えることができる。
【００７０】
（第４実施形態）
次に、第４実施形態について説明する。上述の第１実施形態と共通する部分については説明を省略する。図２２は、本実施形態の複合機１が有する機能の一例を示す図である。図２２に示すように、複合機１は、異常起動情報設定部７０６をさらに有する。異常起動情報設定部７０６は、電力供給を開始する契機となる信号が発生せずに外部電源からの電力供給が開始され、かつ、ＷＯＬ設定有効情報（この例ではＷＯＬ有効ビット）が設定されていない場合（つまり予期せぬ起動が行われた場合）、異常起動であることを示す異常起動情報（この例では「異常起動ビット」と称する）が設定済みであるか否かを確認し、異常起動ビットが設定済みではない場合は、異常起動ビットを設定する制御を行う。この例では、異常起動情報制御部７０６の機能は、複合機起動部２０により提供されるが、これに限られるものではない。
【００７１】
また、異常起動情報設定部７０６が異常起動ビットを設定する制御を行った場合（つまり、１回目の予期せぬ起動時）、表示制御部７０５は、シャットダウンする旨をＬＣＤ２１０に表示する制御を行う。また、異常起動情報制御部７０６が異常起動ビットを設定する制御を行わず、かつ、既に異常起動ビットが設定済みの場合（つまり、２回目以降の予期せぬ起動時）、表示制御部７０５は、異常状態である旨をＬＣＤ２１に表示する制御を行う。
【００７２】
図２３は、コントローラ１００に対する電力供給が開始された場合における本実施形態の複合機起動部２０による処理の一例を示すフローチャートである。図２３のステップＳ１２１〜ステップＳ１２８の処理内容は、図１１に示すステップＳ６１〜ステップＳ６８の処理内容と同様である。図２３の例では、ステップＳ１２８の結果が否定の場合（ステップＳ１２８：Ｎｏ）、複合機起動部２０は、ＮＶＲＡＭ１３０を確認し（ステップＳ１３３）、異常起動ビットがセットされているか否かを確認する（ステップＳ１３４）。ステップＳ１３４の結果が否定の場合（ステップＳ１３４：Ｎｏ）、これは１回目の予期せぬ起動であり、複合機起動部２０は、異常起動ビットをＮＶＲＡＭ１３０にセットする（ステップＳ１３８）。その後のステップＳ１３９〜ステップＳ１４１の処理内容は、図１１に示すステップＳ７２〜ステップＳ７４の処理内容と同様である。
【００７３】
一方、上述のステップＳ１３４の結果が肯定の場合（ステップＳ１３４：Ｙｅｓ）、これは２回目以降の予期せぬ起動であり、複合機起動部２０は、まずボタン押下通知信号およびＷＯＬ通知信号をクリアして初期状態に戻す（ステップＳ１３５）。次に、複合機起動部２０は、設定ファイルを読み出し（ステップＳ１３６）、異常停止モードでアプリケーションを起動する（ステップＳ１３７）。この場合、シャットダウン処理を行う。
【００７４】
また、上述のステップＳ１２８の結果が肯定の場合（ステップＳ１２８：Ｙｅｓ）、複合機起動部２０は、異常起動ビットをクリアする（ステップＳ１２９）。これにより、正常な起動の場合は常に異常起動ビットがクリアされる。ステップＳ１３０〜ステップＳ１３２の処理内容は、図１１に示すステップＳ６９〜ステップＳ７１の処理内容と同様である。
【００７５】
図２４は、本実施形態の設定ファイルの一例を示す図である。この例では、通常起動モードは、normalラベル、ＷＯＬ再設定モードはreset_wolラベル、即時シャットダウンモードはunknownラベル（不明な状態を意味する）、異常停止モードはboot_strangeラベルの記載に従った処理を行う。異常停止モードは、statemanagerを-eオプションで起動している点で即時シャットダウンモードと相違する。なお、statemanagerは状態管理モジュール３０であり、-eオプションでＬＣＤ２１０に異常停止表示を行ってシステムを停止する。図２５は、異常停止表示の一例を示す図である。
【００７６】
（第５実施形態）
次に、第５実施形態について説明する。上述の第１実施形態と共通する部分については説明を省略する。図２６は、本実施形態の複合機１が有する機能の一例を示す図である。図２６に示すように、複合機１は、ＷＯＬ自動再設定情報設定部７０７をさらに有する。ＷＯＬ自動再設定情報設定部７０７は、ユーザの操作に応じて、シャットダウン後もＷＯＬ設定有効情報（この例ではＷＯＬ有効ビット）を維持（具体的には、電力供給が継続される低電力デバイスマイコン５００の内部ＦＲＡＭ（登録商標）５０４に維持）することを示すＷＯＬ自動再設定情報（この例では「ＷＯＬ自動再設定ビット」と称する）を設定する。この例では、本実施形態では、ＷＯＬ自動再設定情報設定部７０７の機能は、状態管理モジュール３０により提供されるが、これに限られるものではない。状態制御部７０２は、シャットダウン要求を受け付けた際に、ＷＯＬ自動再設定ビットが設定されていない場合は、ＷＯＬ有効ビットを不揮発性メモリ（この例では内部ＦＲＡＭ（登録商標）５０４）に記憶させない制御を行う。
【００７７】
図２７は、ユーザの操作に応じて各種の設定を行う場合の複合機１の動作例を示すフローチャートである。図２７に示すステップＳ１５１〜ステップＳ１５４の処理内容は、図５に示すステップＳ１〜ステップＳ４の処理内容と同様である。ステップＳ１５５において、ＷＯＬを自動的に再設定する指示を受け付けた場合（ステップＳ１５５：Ｙｅｓ）、ＷＯＬ自動再設定情報設定部７０７は、ＷＯＬ自動再設定ビットをＮＶＲＡＭ１３０に設定する（ステップＳ１５６）。一方、ＷＯＬを自動的に再設定する指示を受け付けない場合（ステップＳ１５５：Ｎｏ）、ＷＯＬ自動再設定情報設定部７０７は、ＷＯＬ自動再設定ビットをＮＶＲＡＭ１３０に設定することなく（ＷＯＬ自動再設定ビットをクリアしてもよい）、処理は終了する。
【００７８】
図２８は、シャットダウン時の複合機１の動作例を示すフローチャートである。ステップＳ１６１〜ステップＳ１６９の処理内容は、図６に示すステップＳ１１〜ステップＳ１９の処理内容と同様である。ステップＳ１６９の後、状態制御ドライバ１４はＮＶＲＡＭ１３０を確認し（ステップＳ１７０）、ＮＶＲＡＭ１３０に上述のＷＯＬ自動再設定ビットがセット（設定）されている場合（ステップＳ１７１：Ｙｅｓ）、状態制御ドライバ１４はＷＯＬ設定有効信号をセットする（ステップＳ１７２）。ステップＳ１７２の処理内容は図６に示すステップＳ２０の処理内容と同様である。一方、ＮＶＲＡＭ１３０に上述のＷＯＬ自動再設定ビットがセット（設定）されていない場合（ステップＳ１７１：Ｎｏ）、状態制御ドライバ１４は、上述のステップＳ１７２の処理をスキップして、マイコン監視有効信号をセットする（ステップＳ１７３）。つまりは、低電力デバイスマイコン５００に対して内部ＦＲＡＭ（登録商標）５０４にＷＯＬ有効ビットをセットすることを要求するトリガーを仕掛ける前に（仕掛けることなく）、マイコン監視有効信号をセッ（登録商標）５０４トする。これにより、電源プラグ６２０の接続や停電からの復帰に伴って低電力デバイスマイコン５００に対する外部電源からの電力供給が開始された場合の低電力デバイスマイコン５００の動作において、図１０に示すステップＳ５３の結果は常に否定となり、勝手に（電源ボタンの押下を受け付けることなく）電源がＯＮされることがなくなる。
【００７９】
なお、ステップＳ１７４〜ステップＳ１７８の処理内容は、図６に示すステップＳ２２〜ステップＳ２６の処理内容と同様である。
【００８０】
（第６実施形態）
次に、第６実施形態について説明する。上述の第１実施形態と共通する部分については説明を省略する。本実施形態では、低電力デバイスマイコン５００は、ＷＯＬ待機状態において、外部電源からの電力供給を開始するトリガーとして用いられる電源ボタンの押下時間が閾値以上の場合は、ＷＯＬ有効ビットを不揮発性メモリ（この例では低電力デバイスマイコン５００の内部ＦＲＡＭ（登録商標）５０４）から消去する制御を行う。
【００８１】
図２９は、シャットダウン後の本実施形態の低電力デバイスマイコン５００の動作例を示すフローチャートである。ステップＳ１８１〜ステップＳ１８５の処理内容は、図９に示すステップＳ３１〜ステップＳ３５の処理内容と同様である。ステップＳ１８５の結果が肯定の場合（ステップＳ１８５：Ｙｅｓ）、１００ｍｓのウェイトを行った後（ステップＳ１８６）、電源ボタン６１０が押下されたか否かを確認する（ステップＳ１８７）。ステップＳ１８７の結果が肯定の場合（ステップＳ１８７：Ｙｅｓ）、押下時間（電源ボタン６１０を押下する操作の継続時間）が５秒（「閾値」の一例であるがこれに限られない）に到達したか否かを確認する（ステップＳ１８８）。ステップＳ１８７の結果が否定の場合（ステップＳ１８７：Ｎｏ）、長押しではないと判断（通常の電源ボタン６１０の押下操作であると判断）して、処理はステップＳ１９０に移行する。
【００８２】
ステップＳ１８８の結果が肯定の場合（ステップＳ１８８：Ｙｅｓ）、低電力デバイスマイコン５００は内部ＦＲＡＭ（登録商標）５０４のＷＯＬ有効ビットをクリアし（ステップＳ１８９）、処理はステップＳ１８５に戻る。ステップＳ１８８の結果が否定の場合（ステップＳ１８８：Ｎｏ）、処理はステップＳ１８６に移行する。
【００８３】
なお、図２９に示すステップＳ１９０〜ステップＳ１９５の処理内容は図９に示すステップＳ３６〜ステップＳ４１の処理内容と同様である。
【００８４】
以上、本発明に係る実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００８５】
また、上述した実施形態の複合機１で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよいし、インターネット等のネットワーク経由で提供または配布するように構成してもよい。また、各種プログラムを、ＲＯＭ等に予め組み込んで提供するように構成してもよい。
【符号の説明】
【００８６】
１      複合機
１０    ＯＳ
１１    ＡＳＩＣドライバ
１２    ＮＩＣドライバ
１３    画像形成ドライバ
１４    状態制御ドライバ
２０    複合機起動部
３０    状態管理モジュール
４０    アプリケーション
１００  コントローラ
２００  オペレーションパネル
２１０  ＬＣＤ
２２０  タッチパネル
３００  ＦＣＵ
４００  エンジン部
５００  低電力デバイスマイコン
６１０  電源ボタン
６２０  電源プラグ
７０１  ＷＯＬ設定可否情報設定部
７０２  状態制御部
７０３  ＷＯＬ設定制御部
７０４  ＷＯＬ設定有効情報記憶制御部
７０５  表示制御部
７０６  異常起動情報設定部
７０７  ＷＯＬ自動再設定情報設定部
【先行技術文献】
【特許文献】
【００８７】
【特許文献１】特開平１１−３５３２６６号公報
【図１】
2016122436.tif 000003
【図２】
2016122436.tif 000004
【図３】
2016122436.tif 000005
【図４】
2016122436.tif 000006
【図５】
2016122436.tif 000007
【図６】
2016122436.tif 000008
【図７】
2016122436.tif 000009
【図８】
2016122436.tif 000010
【図９】
2016122436.tif 000011
【図１０】
2016122436.tif 000012
【図１１】
2016122436.tif 000013
【図１２】
2016122436.tif 000014
【図１３】
2016122436.tif 000015
【図１４】
2016122436.tif 000016
【図１５】
2016122436.tif 000017
【図１６】
2016122436.tif 000018
【図１７】
2016122436.tif 000019
【図１８】
2016122436.tif 000020
【図１９】
2016122436.tif 000021
【図２０】
2016122436.tif 000022
【図２１】
2016122436.tif 000023
【図２２】
2016122436.tif 000024
【図２３】
2016122436.tif 000025
【図２４】
2016122436.tif 000026
【図２５】
2016122436.tif 000027
【図２６】
2016122436.tif 000028
【図２７】
2016122436.tif 000029
【図２８】
2016122436.tif 000030
【図２９】
2016122436.tif 000031